【手続補正書】
【提出日】平成16年5月27日(2004.5.27)
【手続補正１】
【補正対象書類名】明細書
【補正対象項目名】発明の名称
【補正方法】変更
【補正の内容】
【発明の名称】トナー補給容器
【手続補正２】
【補正対象書類名】明細書
【補正対象項目名】特許請求の範囲
【補正方法】変更
【補正の内容】
【特許請求の範囲】
【請求項１】
電子写真画像形成装置本体に着脱可能で、電子写真画像形成装置本体の駆動伝達部から駆動を受けるトナー補給容器において、駆動力伝達部からの駆動力を受ける駆動力受け部を有し、前記駆動力受け部が面ファスナーで構成されていることを特徴とするトナー補給容器。
【請求項２】
前記駆動力受け部の面ファスナーは、駆動力受け部の表面上に微細な突起が多数配置された構成であることを特徴とする請求項１に記載のトナー補給容器。
【請求項３】
前記駆動力受け部の面ファスナーの微細突起が、根元よりも先端の外径が太く構成されていることを特徴とする請求項２に記載のトナー補給容器。
【請求項４】
前記駆動力受け部の面ファスナーがループ状の微細な係合突起を多数設けてなり、前記画像形成装置本体の駆動力伝達部は面ファスナーであって、フック状の微細な係合突起を多数設けてなることを特徴とする請求項１に記載のトナー補給容器。
【請求項５】
前記駆動力受け部の面ファスナーがフック状の微細な係合突起を多数設けてなり、電子写真画像形成装置本体の駆動力伝達部は面ファスナーであって、ループ状の微細な係合突起を多数設けてなることを特徴とする請求項１に記載のトナー補給容器。
【請求項６】
前記駆動力受け部の面ファスナーの微細突起が、角錘台形状であることを特徴とする請求項２に記載のトナー補給容器。
【請求項７】
前記駆動力受け部の面ファスナーの微細突起の先端が、丸みを帯びていることを特徴とする請求項１から３の何れか１つに記載のトナー補給容器。
【請求項８】
前記駆動力受け部の面ファスナーは弾性変形可能な弾性部材であることを特徴とする請求項１から７の何れか１つに記載のトナー補給容器。
【請求項９】
前記駆動力受け部の面ファスナーの材質が、直鎖状ポリアミド系樹脂、ポリプロピレン系樹脂、ポリエチレン系樹脂、ポリエステル系樹脂のいずれかであることを特徴とする請求項１から８の何れか１つに記載のトナー補給容器。
【請求項１０】
前記面ファスナーは前記駆動力受け部に、接着固定、ねじ止め固定、一体成形のいずれかの手段で固定されていることを特徴とする請求項１から９の何れか１つに記載のトナー補給容器。
【請求項１１】
前記駆動力受け部には位置合わせ用の係合突起または係合凹部を設けたことを特徴とする請求項１から１０の何れか１つに記載のトナー補給容器。
【請求項１２】
前記位置合わせ用の係合突起または係合凹部は駆動力受け部の回転中心の位置に設けたことを特徴とする請求項１１に記載のトナー補給容器。
【請求項１３】
前記トナー補給容器は、一端にトナーを排出するための開口部と、前記開口部を開閉自在に封止する封止部材とを有し、前記封止部材は前記トナー補給容器本体と、回転方向にはお互いに係止され、軸線方向へは互いに移動自在であり、前記開口部を開口した状態においても、前記トナー補給容器本体と回転方向には係合した状態を保つよう構成され、前記駆動力受け部が前記封止部材に設けられていることを特徴とする請求項１から１２のいずれか１つに記載のトナー補給容器。
【請求項１４】
前記トナー補給容器は略円筒形状であって、前記駆動力受け部から伝達された回転駆動力によって回転することでトナーを搬送・排出するように構成されていることを特徴とする請求項１３に記載のトナー補給容器。
【手続補正３】
【補正対象書類名】明細書
【補正対象項目名】０００１
【補正方法】変更
【補正の内容】
【０００１】
【発明の属する技術分野】
本発明は、電子写真画像形成装置本体に着脱可能なトナー補給容器に関する。
【手続補正４】
【補正対象書類名】明細書
【補正対象項目名】０００３
【補正方法】変更
【補正の内容】
【０００３】
以下の説明で、カートリッジとはプロセスカートリッジ及び現像カートリッジを含む。
【手続補正５】
【補正対象書類名】明細書
【補正対象項目名】０００５
【補正方法】変更
【補正の内容】
【０００５】
また、カートリッジとはプロセスカートリッジの他に現像手段と現像剤を一体的にカートリッジ化した現像カートリッジをいう。
【手続補正６】
【補正対象書類名】明細書
【補正対象項目名】００１８
【補正方法】変更
【補正の内容】
【００１８】
本発明の目的は、ユーザーがトナー補給容器の補給操作時にトナー補給容器の回転方向の位置合わせを必要とせず、簡単な操作で確実に補給できるトナー補給容器を提供することにある。
【手続補正７】
【補正対象書類名】明細書
【補正対象項目名】００１９
【補正方法】変更
【補正の内容】
【００１９】
本発明の他の目的は、トナー補給容器及び電子写真画像形成装置本体の機構が簡単で安価にすることができるトナー補給容器を提供することにある。
【手続補正８】
【補正対象書類名】明細書
【補正対象項目名】００２０
【補正方法】変更
【補正の内容】
【００２０】
本発明の他の目的は、電子写真画像形成装置本体をコンパクト化できるトナー補給容器を提供することにある。
【手続補正９】
【補正対象書類名】明細書
【補正対象項目名】００５０
【補正方法】削除
【補正の内容】
【手続補正１０】
【補正対象書類名】明細書
【補正対象項目名】００５１
【補正方法】削除
【補正の内容】
【手続補正１１】
【補正対象書類名】明細書
【補正対象項目名】００５２
【補正方法】削除
【補正の内容】
【手続補正１２】
【補正対象書類名】明細書
【補正対象項目名】００５３
【補正方法】削除
【補正の内容】
【手続補正１３】
【補正対象書類名】明細書
【補正対象項目名】００５４
【補正方法】削除
【補正の内容】
【手続補正１４】
【補正対象書類名】明細書
【補正対象項目名】００５５
【補正方法】削除
【補正の内容】
【手続補正１５】
【補正対象書類名】明細書
【補正対象項目名】００５６
【補正方法】削除
【補正の内容】
【手続補正１６】
【補正対象書類名】明細書
【補正対象項目名】００５７
【補正方法】削除
【補正の内容】
【手続補正１７】
【補正対象書類名】明細書
【補正対象項目名】００５８
【補正方法】削除
【補正の内容】
【手続補正１８】
【補正対象書類名】明細書
【補正対象項目名】００５９
【補正方法】削除
【補正の内容】
【手続補正１９】
【補正対象書類名】明細書
【補正対象項目名】００６０
【補正方法】削除
【補正の内容】
【手続補正２０】
【補正対象書類名】明細書
【補正対象項目名】００６１
【補正方法】削除
【補正の内容】
【手続補正２１】
【補正対象書類名】明細書
【補正対象項目名】００６２
【補正方法】削除
【補正の内容】
【手続補正２２】
【補正対象書類名】明細書
【補正対象項目名】００６３
【補正方法】削除
【補正の内容】
【手続補正２３】
【補正対象書類名】明細書
【補正対象項目名】００６４
【補正方法】削除
【補正の内容】
【手続補正２４】
【補正対象書類名】明細書
【補正対象項目名】００６５
【補正方法】削除
【補正の内容】
【手続補正２５】
【補正対象書類名】明細書
【補正対象項目名】００６６
【補正方法】削除
【補正の内容】
【手続補正２６】
【補正対象書類名】明細書
【補正対象項目名】００６７
【補正方法】削除
【補正の内容】
【手続補正２７】
【補正対象書類名】明細書
【補正対象項目名】００６８
【補正方法】削除
【補正の内容】
【手続補正２８】
【補正対象書類名】明細書
【補正対象項目名】００６９
【補正方法】削除
【補正の内容】
【手続補正２９】
【補正対象書類名】明細書
【補正対象項目名】００７０
【補正方法】削除
【補正の内容】
【手続補正３０】
【補正対象書類名】明細書
【補正対象項目名】００７１
【補正方法】削除
【補正の内容】
【手続補正３１】
【補正対象書類名】明細書
【補正対象項目名】００７２
【補正方法】削除
【補正の内容】
【手続補正３２】
【補正対象書類名】明細書
【補正対象項目名】００７３
【補正方法】削除
【補正の内容】
【手続補正３３】
【補正対象書類名】明細書
【補正対象項目名】００７４
【補正方法】削除
【補正の内容】
【手続補正３４】
【補正対象書類名】明細書
【補正対象項目名】００７５
【補正方法】削除
【補正の内容】
【手続補正３５】
【補正対象書類名】明細書
【補正対象項目名】００７６
【補正方法】削除
【補正の内容】
【手続補正３６】
【補正対象書類名】明細書
【補正対象項目名】００７７
【補正方法】削除
【補正の内容】
【手続補正３７】
【補正対象書類名】明細書
【補正対象項目名】００７８
【補正方法】削除
【補正の内容】
【手続補正３８】
【補正対象書類名】明細書
【補正対象項目名】００７９
【補正方法】削除
【補正の内容】
【手続補正３９】
【補正対象書類名】明細書
【補正対象項目名】００８０
【補正方法】削除
【補正の内容】
【手続補正４０】
【補正対象書類名】明細書
【補正対象項目名】００８１
【補正方法】削除
【補正の内容】
【手続補正４１】
【補正対象書類名】明細書
【補正対象項目名】００８２
【補正方法】削除
【補正の内容】
【手続補正４２】
【補正対象書類名】明細書
【補正対象項目名】００８３
【補正方法】削除
【補正の内容】
【手続補正４３】
【補正対象書類名】明細書
【補正対象項目名】００８４
【補正方法】削除
【補正の内容】
【手続補正４４】
【補正対象書類名】明細書
【補正対象項目名】００８５
【補正方法】削除
【補正の内容】
【手続補正４５】
【補正対象書類名】明細書
【補正対象項目名】００８６
【補正方法】削除
【補正の内容】
【手続補正４６】
【補正対象書類名】明細書
【補正対象項目名】００８７
【補正方法】削除
【補正の内容】
【手続補正４７】
【補正対象書類名】明細書
【補正対象項目名】００８８
【補正方法】削除
【補正の内容】
【手続補正４８】
【補正対象書類名】明細書
【補正対象項目名】００８９
【補正方法】削除
【補正の内容】
【手続補正４９】
【補正対象書類名】明細書
【補正対象項目名】００９０
【補正方法】削除
【補正の内容】
【手続補正５０】
【補正対象書類名】明細書
【補正対象項目名】００９１
【補正方法】削除
【補正の内容】
【手続補正５１】
【補正対象書類名】明細書
【補正対象項目名】００９２
【補正方法】削除
【補正の内容】
【手続補正５２】
【補正対象書類名】明細書
【補正対象項目名】００９３
【補正方法】削除
【補正の内容】
【手続補正５３】
【補正対象書類名】明細書
【補正対象項目名】００９４
【補正方法】削除
【補正の内容】
【手続補正５４】
【補正対象書類名】明細書
【補正対象項目名】００９５
【補正方法】削除
【補正の内容】
【手続補正５５】
【補正対象書類名】明細書
【補正対象項目名】００９６
【補正方法】削除
【補正の内容】
【手続補正５６】
【補正対象書類名】明細書
【補正対象項目名】００９７
【補正方法】削除
【補正の内容】
【手続補正５７】
【補正対象書類名】明細書
【補正対象項目名】００９８
【補正方法】削除
【補正の内容】
【手続補正５８】
【補正対象書類名】明細書
【補正対象項目名】００９９
【補正方法】削除
【補正の内容】
【手続補正５９】
【補正対象書類名】明細書
【補正対象項目名】０１００
【補正方法】削除
【補正の内容】
【手続補正６０】
【補正対象書類名】明細書
【補正対象項目名】０１０１
【補正方法】削除
【補正の内容】
【手続補正６１】
【補正対象書類名】明細書
【補正対象項目名】０１０２
【補正方法】削除
【補正の内容】
【手続補正６２】
【補正対象書類名】明細書
【補正対象項目名】０１０３
【補正方法】削除
【補正の内容】
【手続補正６３】
【補正対象書類名】明細書
【補正対象項目名】０１０４
【補正方法】削除
【補正の内容】
【手続補正６４】
【補正対象書類名】明細書
【補正対象項目名】０１０５
【補正方法】削除
【補正の内容】
【手続補正６５】
【補正対象書類名】明細書
【補正対象項目名】０１０６
【補正方法】削除
【補正の内容】
【手続補正６６】
【補正対象書類名】明細書
【補正対象項目名】０２０５
【補正方法】削除
【補正の内容】
【手続補正６７】
【補正対象書類名】明細書
【補正対象項目名】図面の簡単な説明
【補正方法】変更
【補正の内容】
【図面の簡単な説明】
【図１】
画像形成装置本体（複写機）の概略縦断面図である。
【図２】
上記電子写真複写機の斜視図である。
【図３】
上記電子写真複写機のトナー容器交換用カバーを開いてトナー補給容器を電子写真複写機に装着する様子を示す斜視図である。
【図４】
本発明の実施の形態に係るトナー補給容器の斜視図である。
【図５】
駆動伝達部の部分断面拡大図である。
【図６】
上記トナー補給容器の封止部材の側面図である。
【図７】
図６のＡ矢視図である。
【図８】
図６の正面断面図である。
【図９】
本発明の実施の形態１に係る駆動伝達部の斜視図である。
【図１０】
本発明の実施の形態１に係る駆動伝達部の側面図である。
【図１１】
面ファスナーと封止部材との結合例を示した斜視図である。
【図１２】
面ファスナーと封止部材との結合例を示した斜視図である。
【図１３】
面ファスナーと封止部材との結合例を示した斜視図である。
【図１４】
面ファスナーの他の例を示した概略構成側面図である。
【図１５】
面ファスナーの他の例を示した概略構成側面図である。
【図１６】
面ファスナーの他の例を示した概略構成側面図である。
【図１７】
面ファスナーの他の例を示した概略構成側面図である。
【図１８】
面ファスナーの他の例を示した概略構成側面図である。
【図１９】
面ファスナーの他の例を示した概略構成側面図である。
【図２０】
面ファスナーの他の例を示した概略構成側面図である。
【図２１】
面ファスナーの配列パターンを示した正面図である。
【図２２】
面ファスナーの配列パターンを示した正面図である。
【図２３】
面ファスナーの配列パターンを示した正面図である。
【図２４】
電子写真複写機の正面図である。
【図２５】
電子写真複写機の側面図である。
【図２６】
トナー容器交換用カバーを開いた電子写真複写機を示す平面図である。
【図２７】
本発明の実施の形態のトナー補給容器の装着動作を示す側面図である（装着開始）。
【図２８】
本発明の実施の形態のトナー補給容器の装着動作を示す側面図である（装着途中）。
【図２９】
本発明の実施の形態のトナー補給容器の装着動作を示す側面図である（装着完了）。
【図３０】
本発明の実施の形態における面ファスナーの分離手段を示した側面図である。
【図３１】
本発明の実施の形態における面ファスナーの分離手段を示した側面図である。
【図３２】
本発明の実施の形態における面ファスナーの他の分離手段を示した側面図である。
【図３３】
本発明の実施の形態における面ファスナーの他の分離手段を示した側面図である。
【図３４】
本発明の実施の形態における面ファスナーの配置構成の例を示した斜視図である（ドーナッツ状）。
【図３５】
本発明の実施の形態における面ファスナーの配置構成の例を示した斜視図である（分割）。
【図３６】
本発明の実施の形態における面ファスナーの配置構成の例を示した斜視図である（排出口）。
【図３７】
電子写真画像形成装置（レーザービームプリンタ）の構成模式縦断面図である。
【図３８】
プロセスカートリッジの構成模式縦断面図である。
【図３９】
プロセスカートリッジの概観斜視図である。
【図４０】
プロセスカートリッジの装着部の斜視図である。
【図４１】
カートリッジ側面ファスナーと本体側面ファスナーの構成模式斜視図である。
【図４２】
カートリッジ側面ファスナーと本体側面ファスナーの構成模式側面図である。
【図４３】
開閉カバーが閉じているときの装置本体の駆動伝達手段の平面図である。
【図４４】
開閉カバーが閉じているときの、本体側面ファスナー駆動伝達手段の正面図である。
【図４５】
開閉カバーを開けたときの、本体側面ファスナー駆動伝達手段の平面図である。
【図４６】
開閉カバーを開けたときの、本体側面ファスナー駆動伝達手段の正面図である。
【符号の説明】
１…トナー補給容器（トナーボトル）  １ａ…開口部  １ｂ…駆動軸  １ｃ…螺旋状突起  １ｄ…排出口  １Ａ…トナー容器本体
２…封止部材  ２ａ…係合穴  ２ｂ…封止部  ２ｃ…カップリング係合部  ２ｄ…位置決め溝
３…面ファスナー  ３ａ…突起（ステム）  ３ａ１…根本  ３ａ２…先端  ３ｂ…粘着部材  ３ｃ…小ねじ  ３ｄ…フック  ３ｅ…ループ  ３ｆ…角錐台突起（ステム）  ３ｈ…センタ穴  ３ｚ…ベース
４…転写ローラ
５…定着手段  ５ａ…駆動ローラ  ５ｂ…ヒータ  ５ｃ…定着ローラ
６…排出部
７…感光体ドラム
８…帯電ローラ
９…露光開口部
１０…現像手段  １０ａ…トナー収納部  １０ｂ…送り部材  １０ｃ…固定磁石  １０ｄ…現像ローラ  １０ｅ…現像ブレード
１１…クリーニング手段  １１ａ…クリーニングブレード  １１ｂ…スクイシート  １１ｃ…除去トナー溜め
１２ａ…トナー容器  １２ｂ…現像フレーム  １２ｃ…クリーニング枠体
１３…装置本体
１４…開閉カバー  １４ａ…軸
１５…トナー補給容器交換用カバー
１６…ドラムフランジ
１８…ヒンジ
１９…モータ
２０…駆動部
２１…中間ギア
２２…保持部材
２３…ボトル受けローラ
２４…ナイフ状分離部材
２５…押出し棒
２６…貫通穴
３０…本体側面ファスナー  ３０ａ…センタ
３１…搬送手段  ３１ａ…給紙カセット  ３１ｂ…ピックアップローラ  ３１ｃ…給送ローラ対  ３１ｄ…搬送ローラ対  ３１ｅ…レジストローラ対  ３１ｆ…ガイド板  ３１ｇ…排出ローラ対  ３１ｈ…排出ローラ対  ３１ｉ…手差しトレイ  ３１ｊ…ローラ
３２…左右ガイド部材  ３２ａ…ガイド部
３３…ピニオンギア
３４…伝達ギア
３５…解除部材  ３５ａ…カム部
３６…壁部
５０…容器受台
１００…画像形成装置本体  １００ａ…操作部  １００ｂ…液晶表示手段  １００ｃ…前面カバー
１０１…原稿
１０２…原稿台ガラス
１０３…光学部
１０４…感光体ドラム
１０５〜１０８…カセット  １０５Ａ〜１０８Ａ…給紙・分離装置
１０９…搬送部
１１０…レジストローラ
１１１…転写放電器
１１２…分離放電器
１１３…搬送部
１１４…定着部
１１５…排紙反転部
１１６…排紙ローラ
１１７…排紙トレイ
１１８…フラッパ
１１９〜１２０…再給紙搬送路
２０１…現像部  ２０１ａ…トナーホッパー  ２０１ｂ…現像器  ２０１ｃ…撹拌部材  ２０１ｄ…マグネットローラ  ２０１ｅ…送り部材  ２０１ｆ…現像ローラ
２０２…クリーナ部
２０３…一次帯電器
３００…スライド部材
Ｍ…ミラー
Ｌｎ…レンズ
Ｐ…用紙
ｍ…駆動モーター
Ａ…画像形成装置
Ｂ…プロセスカートリッジ
Ｄ…外径